(57)【要約】【課題】薄い直方体形状の物品を、安定良く立てて置ける簡易なスタンドを提供する。本発明のクランプ式スタンドにより、テレビのリモコン、携帯電話、薄いかばん、ノートパソコン用ソフトケース等の転倒し易いものを、バランス良く立てて保持することができる。【解決手段】断面形状が、角部をＲ形状としたＬ字形と逆Ｌ字形の板で中央が屈曲できるＷ字形のスタンドで、中央に物品２を乗せると、中央が力点４、下部（２カ所）が支点３となり、上部両端（作用点５）で物品２を挟み込む。この作用により、物品２はバランスがとれ、立てて置くことができる。物品２を持ち上げるとクランプがはずれ、クランプ式スタンドの特徴であるスタンド自身の自重で、もとのＷ字形に戻るのを特徴とする。又、かばん９やソフトケースの中に本発明のクランプ式スタンドを設置して物品２を入れれば、バランスがとれてかばん９やソフトケースと共に立てて置くことができる。【選択図】  図９
2011157001.tif 000002
【特許請求の範囲】
【請求項１】
角部をＲ形状としたＬ字形と逆Ｌ字形の板を、テープ又は蝶番で継ぎ、断面形状がＷ字形の、中央部が屈曲できる構造にしたクランプ式スタンドであって、物品を入れると、物品の重力で、屈曲できるＷ字形の中央部が力点となり、Ｌ字形と逆Ｌ字形の板それぞれの角部を支点とし、作用点である上部が内側に縮まり、物品を横から挟み込む一方、物品を持ち上げると上部がその形状バランスによりスタンド自身の自重で、自然に開いてＷ字形に戻ることを特徴としたクランプ式スタンド。
【請求項２】
Ｌ字形の底部を湾曲させ、支点が移動することによって、スタンド自身の自重で自然に開いて、より一層Ｗ字形に戻り易いことを特徴とした、請求項１記載のクランプ式スタンド。
【請求項３】
請求項１・２記載のクランプ式スタンドを内部に設置したバッグ。
【発明の詳細な説明】
【技術分野】
【０００１】
本発明は、物品を立てて保持する為のスタンドに関するものである。
【背景技術】
【０００２】
薄い直方体形状の物を立てて置く場合、安定性が無く、すぐに転倒してしまう。又、物品の底面が湾曲していると立てることは不可能である。
【０００３】
テレビのリモコンや携帯電話等はスタンドがあるが、転倒しない様に座面が広く作られていたり、大きな箱型になってしまう。薄型のかばんやノートパソコン用のソフトケース等も立てて置こうとすると、非常に不安定である。
【０００４】
これらの物品を挟んで立てるスタンドは多々あるが、物品をはずすとスタンド自身の自重で上部が開くものはない。
【先行技術文献】
【特許文献】
【０００５】
【特許文献１】特許３５７４８９９
【特許文献２】特開２００４−０７３２７３
【特許文献３】特開２００４−１９５１６０
【特許文献４】特開２００４−３９６８２
【特許文献５】特表２０００−５００５８８
【特許文献６】特開平６−３５０２７６
【特許文献７】特開平８−１８２４７
【特許文献８】特開平８−１１７０８６
【特許文献９】特願２００８−２４９４１０
【発明の概要】
【発明が解決しようとする課題】
【０００６】
薄い直方体形状の物品を安定良く立てて置けて、機構が簡単でコンパクトでスペースをとらないスタンドを提供する。
【課題を解決するための手段】
【０００７】
角部をＲ形状としたＬ字形と逆Ｌ字形の板を中央部で屈曲できる構造のＷ字形のスタンドで中央部に物品を置く。
【発明の効果】
【０００８】
Ｗ字形の中央部に物品を置くと、屈曲できる中央部が力点となり、下部（２カ所）が支点となる。
【０００９】
Ｗ字形の上部両端が作用点となり、内方向に力が向くので物品を挟み込む。
【００１０】
この挟み込む力により、物品はバランスがとれ安定良く立てて置いておける。又、物品の底面が湾曲していても同じ効果が得られる。
【００１１】
本発明のクランプ式スタンドは、通常Ｗ字形をしており、上部が広がっているのでその中に物品を入れ易く、物品の重力によってＷ字形の上部でバランスをとりながら挟み込むので固定式のスタンドより安定しており、且つ、コンパクトにできるのを特徴とする。
【００１２】
又、物品を少し上に持ち上げると、アンクランプ状態になり、その後、クランプ式スタンド自身の自重で、自然に上部が広がり、元のＷ字形に戻るのを特徴とする。
【図面の簡単な説明】
【００１３】
【図１】クランプ式スタンドの作用する前の断面図である。（実施例１）
【図２】クランプ式スタンドの作用している時の断面図である。（実施例１）
【図３】クランプ式スタンドの実施例を示す斜視図である。（実施例１）
【図４】クランプ式スタンドの実施例を示す断面図である。（実施例１）
【図５】クランプ式スタンドをかばんやソフトケースに応用した時の断面図である。（実施例３）
【図６】クランプ式スタンドをかばんやソフトケースに応用した時の斜視図である。（実施例３）
【図７】Ｌ字が鈍角の時の重心バランスを示した説明図。（実施例１）
【図８】Ｌ字が鋭角の時の重心バランスを示した説明図。（実施例１）
【図９】クランプ式スタンドの断面図。（実施例１）
【図１０】Ｌ字の底部を湾曲させた時の、重心バランスを示した説明図。（実施例２）
【図１１】底部を湾曲させたクランプ式スタンドの断面図。（実施例２）
【図１２】クランプ式スタンドの応用例を示す斜視図である。（実施例４）
【図１３】Ｌ字と逆Ｌ字を糸でつないだクランプ式スタンドの断面図。
【図１４】Ｌ字に重りを付けた時の重心バランスを示した説明図。
【図１５】実際に製作したクランプ式スタンドのクランプ状態の写真。
【図１６】実際に製作したクランプ式スタンドのアンクランプ状態の写真。
【発明を実施するための形態】
【００１４】
本発明の実施例を添付図面に基づいて詳細に説明する。
【実施例１】
【００１５】
断面形状が図１の様なクランプ式スタンドで、角部をＲ形状としたＬ字形と逆Ｌ字形の板を中央でテープ６又は蝶番１１等でつなげ屈曲できる様にしたＷ字形をし、その間に転倒し易い物品２を乗せる。Ｌ字形の板は金属又はプラスチック等の剛体とする。蝶番１１を用いると全体的には図３の様な形状である。中央部のテープ６又は蝶番１１はＬ字形と逆Ｌ字形がつながっていて屈曲できればよい。
【００１６】
テープ６の場合は、Ｌ字形と逆Ｌ字形が自由に屈曲できる必要があり、テープ６にバネ効果があると、軽い物品２を入れた時クランプできないからである。よってテープ６の材質はビニールテープ等の軟らかいものが良い。
【００１７】
又、図１３の様にＬ字形と逆Ｌ字形に穴を開け、糸１２等で何箇所か結んでも、この中央部分が自由に屈曲できれば良く、つながっていれば良い。
【００１８】
物品２の重力で、屈曲できるＷ字形の中央部が力点４となり、下部（２カ所）を支点３とし、作用点５が内側に縮まり、図２の様に物品２を横から挟み込む。
【００１９】
この作用により、バランスがとれ、転倒し易い物品２を容易に立たせておくことが可能となる。
【００２０】
物品２を持ち上げるとクランプ式スタンドの形状バランスにより、上部が開いて自然に図１のＷ字形に戻る。
【００２１】
これは、Ｌ字の曲げ角が鈍角（９０度以上）の場合、図７（ａ）のように置いても、その重心バランスにより自然に自重で図７（ｂ）のように倒れる。
【００２２】
Ｌ字の曲げ角が鋭角（９０度以下）の場合、図８（ａ）のようにＬ字の重心よりも角部のＲの終点（支点３）が左側にあると、その重心バランスにより自然に自重で図８（ｂ）のように倒れる。Ｌ字形の重心よりも角部のＲの終点（支点３）が右側にある時は、自然に自重で倒れない為、Ｒを大きくするか、請求項２を採用する。
【００２３】
Ｌ字の曲げ角が直角（９０度）の場合は、角部のＲは板厚より大きければ倒れるが、Ｒがないと倒れない。
【００２４】
Ｌ字の曲げ角が小さく（鋭角に）なればなるほど、角部のＲを大きくしなければならない。又、図１４（ｂ）の様に、重心より右側の重さを重くすれば、図１４（ａ）より全体の重心が右側にずれるので、より一層倒れ易くなる為、重り１３を付けると良い。
【００２５】
Ｌ字の曲げ角が鋭角・直角・鈍角の何れにせよ、これを図９のように、逆Ｌ字形とテープまたは蝶番１１で継ぎ、断面形状をＷ字形にすれば、本願発明の物品２を入れるとクランプしてバランスを取り、物品２を出すと、スタンド自身の自重で自然に開いてアンクランプ状態になることを特徴としたクランプ式スタンドとなる。アンクランプ状態で上部が自然に開いていることが特徴である。
【００２６】
物品２をクランプ式スタンドに入れる時は、上部が開いているので入れ易く、物品２の幅もある程度の許容を持ち、転倒防止できるのを特徴とする。
【００２７】
又、図４の様に、プラスチック製でＷ字形の中央を薄くすることにより屈曲できる様にすることもできる。この場合は、上部がＷ字の形状で開くようにするのではなく、中央が容易に屈曲でき、クランプ・アンクランプが、し易い様にする。中央に蝶番１１を付けたごとく屈曲できる必要がある。上部が開いている形状（Ｗ字形）をこの中央部で保持（バネ効果）すると、軽い物品２を入れた時、クランプできないからである。これも、図１４（ｂ）の様に、重心より外側の重さを重くすれば、より一層自然に開き易くなる。
【００２８】
又、図９からもわかるように、その開口角度は、Ｌ字形と逆Ｌ字形を継いだ時のスキマによって決まり、開口時には、このスキマが０になってストッパとなり、Ｗ字形を保持することができる。
【実施例２】
【００２９】
Ｌ字の曲げ角（鋭角）とその長さによっては、上部が広がり難い場合がある。この時は図１０（ａ）の様にＬ字形の底部を湾曲させると、Ｌ字形の自重によって支点３が図１０（ｂ）の位置に移動し、重心も右に移るので、図１０（ｃ）の様に倒れ易くなる。
【００３０】
これを図１１の様に、逆Ｌ字形とテープ６又は蝶番１１で継ぎ、断面形状をＷ字形にすれば、より一層自然に開くクランプ式スタンドができる。Ｌ字形の底部が湾曲している時は、Ｌ字形の角部のＲ形状は無くても良い場合がある。
【００３１】
物品２をクランプ式スタンドに入れる時は、上部が開いているので入れ易く、物品２の幅もある程度の許容を持ち、転倒防止できるのを特徴とする。
【００３２】
図９及び図１１を見てもわかるように、本発明のクランプ式スタンドは、物品２を挟み込んでクランプするので、物品２を乗せると、仮想線で示したものより上部が少し開いた形状でクランプする。
【００３３】
このクランプ代がないと、物品２が斜めになり倒れてしまうが、このクランプ代が物品２の幅にある程度の許容を持たせることができる。
【００３４】
図９及び図１１で、支点３がアンクランプ時よりクランプ時の方が、中央に少し近くなるが、中央を対称に２カ所あり、十分バランスを取ることができる。
【００３５】
Ｌ字形の角部のＲを大きくし過ぎると、アンクランプ時には、上部が開きやすく、もとのＷ字形に戻りやすくなるが、クランプ時には、支点３が中央に近くなる為、バランスを取り難くなる。
【００３６】
これは、物品２の形状によるものでは無く、クランプ式スタンド自身の形状によるものである。すなわち、Ｌ字形の板厚、長さ、Ｌ字の曲げ角によって決まり、図８又は図１０の条件を満たし、且つ、Ｌ字形の角部のＲを最小にし、Ｌ字形の底部の湾曲を最大Ｒ（究極は請求項１の直線）にするのが望ましい。
【実施例３】
【００３７】
図５の様に、かばん９やソフトケースの表地７と裏地８の間で、底の上に本発明のクランプ式スタンドを設置すれば、パソコン等の転倒しやすい物品２を中に入れた時、その重力によってクランプでき、バランスがとれる為、かばん９やソフトケースの転倒防止ができる。
【００３８】
かばん９やソフトケースの形状により、それ自身では起立できず、中に入れる物品２もそれ自身では起立できない形状であっても、本発明のクランプ式スタンドをかばん９やソフトケースの中に設置することによって、両者ともに起立することができる。
【００３９】
図６は、かばん９やソフトケースの底部に本発明のクランプ式スタンドを両端（２カ所）に設置した例で、１カ所以上であれば何カ所でも良い。
【００４０】
これも実施例１と同様に物品２を取り出すと、クランプ式スタンドの上部が開いて、元のＷ字形に戻るので、次に物品２を入れる時に入れ易い。
【００４１】
尚、実施例３では、表地７と裏地８の間に本発明のクランプ式スタンドを設置したが、裏地８の内側でも良い。
【実施例４】
【００４２】
又、これまでは直方体形状の物を対象としてきたが、図１２の様に、輪止１０を用いれば、タイヤの様な円柱形の物品２もスタンド１によって立てて保持することができる。
【産業上の利用可能性】
【００４３】
一般的に、薄い直方体の物品を、立てて置く場合、転倒し易いためスタンドが必要であり、通常は、箱型の座面の広い物である。
【００４４】
本発明のクランプ式スタンドは機構が簡単でコンパクトな為、あらゆる分野での利用価値が高い。
【符号の説明】
【００４５】
１    スタンド
２    物品
３    支点
４    力点
５    作用点
６    テープ
７    表地    
８    裏地
９    かばん
１０  輪止
１１  蝶番
１２  糸
１３  重り
【図１】
2011157001.tif 000003
【図２】
2011157001.tif 000004
【図３】
2011157001.tif 000005
【図４】
2011157001.tif 000006
【図５】
2011157001.tif 000007
【図６】
2011157001.tif 000008
【図７】
2011157001.tif 000009
【図８】
2011157001.tif 000010
【図９】
2011157001.tif 000011
【図１０】
2011157001.tif 000012
【図１１】
2011157001.tif 000013
【図１２】
2011157001.tif 000014
【図１３】
2011157001.tif 000015
【図１４】
2011157001.tif 000016
【図１５】
2011157001.tif 000017
【図１６】
2011157001.tif 000018